(57)【要約】  コールドはんだによって共に恒久的に接続されている２つの主要部、すなわち、音叉およびピラミッド形の石によって形成された、皮膚のたるみおよびシワを予防するための機器で。ピラミッドの頂点が音叉の穴を開けた基部の空いている終端の内側に挿入されるように、この機器は、構成されている。この音叉は、２つの、３つのまたは４つの腕を有することできる。専門家の使用のために、それぞれの腕の終端に円筒を有することができる。２つの主要部を共に接続することは、一方の終端が音叉に挿入され、そしてもう一方の終端がピラミッドに接続されている中空の中央部によって行うことができる。この機器は、皮膚のたるみを改善し、皮膚シワを伸ばし、そして若返らせ、そして顔および体の他の部分を明るくするために、美容分野で使用される。
2011522576.tif 000002
【特許請求の範囲】
【請求項１】
音叉およびピラミッド形の石の２つの基本部分からなり、該ピラミッドの頂点が、該音叉の空いている終端のドリルされた基部に挿入され、そして該音叉および該ピラミッド形の石の部分が、はんだ、好ましくはコールドはんだを通じて恒久的に接続されるような様式で、該音叉および該ピラミッド形の石が配置されていることを特徴とする、皮膚のたるみおよびシワを予防するための機器。
【請求項２】
該音叉が、該音叉の腕のそれぞれの終端に、円筒を提供されていることを特徴とする、請求項１に記載の皮膚のたるみおよびシワを予防するための機器。
【請求項３】
該音叉が、３つの腕を有することを特徴とする、請求項１に記載の皮膚のたるみおよびシワを予防するための機器。
【請求項４】
該音叉が、４つの腕を有することを特徴とする、請求項１に記載の皮膚のたるみおよびシワを予防するための機器。
【請求項５】
該４つの腕を有する機器が、２つの腕を有する２つの音叉を用いて製造され、該２つの腕それぞれが、該腕と該基部の連結点ではんだ付けされていることを特徴とする、請求項４に記載の皮膚のたるみおよびシワを予防するための機器。
【請求項６】
該４つの腕を有する機器が２つの基部を有し、該２つの基部の内一方に石造ピラミッドが挿入されており、そして該基部のもう一方に金属の球が挿入されていることを特徴とする、請求項４または５に記載の皮膚のたるみおよびシワを予防するための機器。
【請求項７】
該２つの基本部分の間の連結部が、円筒形の終端を提供された中空の中間部分により作られ、そして該中間部分のもう一方がピラミッド形胴体の形態であり、該音叉の空いている基部が該円筒形の終端に挿入され、そして該ピラミッドの頂点が該ピラミッド形胴体の終端に連結され、該中間部分、該音叉および該ピラミッドが恒久的に接続されたままであるように、その後、該中間部分、該音叉および該ピラミッドがはんだ付けされていることを特徴とする、請求項１〜６のいずれか一項に記載の皮膚のたるみおよびシワを予防するための機器。
【請求項８】
該ピラミッドが、宝石または準宝石でできていることを特徴とする、請求項１〜７のいずれか一項に記載の皮膚のたるみおよびシワを予防するための機器。
【請求項９】
該ピラミッドが、ブラックトルマリンまたはオニキスでできていることを特徴とする、請求項８に記載の皮膚のたるみおよびシワを予防するための機器。
【請求項１０】
該音叉を振動させて、該ピラミッドの該基部がこの振動を伝えるように、皮膚のたるみまたはシワを治療される該皮膚の上に置かれることを特徴とする、美容目的のための請求項１〜９に記載の皮膚のたるみおよびシワを予防するための機器の使用。
【発明の詳細な説明】
【技術分野】
【０００１】
本発明は、美容の分野において使用される、皮膚のたるみを防ぎ、そして皮膚のシワを伸ばし、そして顔および体の他の部分を若返らせ、そして光沢を回復させるための、２つの恒久的に接続された部分によって形成された機器およびそれらの使用に関する。
【背景技術】
【０００２】
顔用美容治療のために使用されている装置は、例えば、蓄積された冷たい液体で充填された中空治療ヘッド、および該治療ヘッドにぴったり合った保持要素を有するハンドルを含む文献スペイン国特許第１０２３１６２Ｕ号明細書に記載された、または最終的に交換可能であり、そして特に調節できる電気加熱機器に関連した、治療ヘッドの振動のための電気活性部または奇抜な調整を含むグリップまたはハンドルを有する、スペイン国１０２３１６３Ｕ号明細書に記載された機器が当該技術分野で知られている。
【０００３】
文献ドイツ国特許第７４０５Ｃ１明細書は、調節できるスクリューまたはスクリューで調節できるクランプとぴったり合うことのできる２つの腕（ｔｉｎｅ）を有する音楽音叉に関する。同様に、文献米国特許第２８８８５８２Ａ号明細書は、より高い音調を出すために、それらのいくつかがより短くなっていることができる、２超の腕、特に３つまたは４つの腕を有する音楽音叉に関する。
【０００４】
米国特許第４４２７００１号明細書は、水槽表面を加熱するための変圧器に接続され、変圧器からハンドル上の制御スイッチに、そして電源に結線されており、一方、機器の側部近傍が油またはクリームを所望のように吐出できる油またはクリームの貯蔵容器、および油またはクリームが吐出されるスポンジを含んでいる、顔に対してマッサージするためのスプーン形の水槽を含む顔治療用装置を記載する。
【０００５】
顔の上で回転し、従って顔のマッサージを提供する１種または種々の様式の球を収容するマッサージプレートに接続されたハンドルで形成された支持部からなる顔のマッサージ機器を記載する、種々の文献（フランス国特許第１１８２８９４号明細書および米国特許第４５５０７１８号明細書）がある。
【０００６】
文献米国特許第５７４６７０２号明細書は、皮膚に医用マッサージを提供する方法およびそれを実行する人間工学的装置を記載する。
【０００７】
米国特許第６６７９９０８Ｂ２号明細書は、治療を受ける人の顔を冷却または加熱することができ、そして体に適用する場合に、治療される部分に痩せ効果を有する機器を使用して、顔を治療することを記載する。
【０００８】
文献日本国特許出願公開第２００００００２８３号明細書では、人の皮膚が、振動、回転またはそれらを同時に行うことができる機器を使用してマッサージされている。
【０００９】
文献米国特許公開出願第２００８／００５８９１５Ａ１号明細書は、フェイスマスク形態の膜ならびに、美容および健康の分野へのその適用を記載する。電気的手段、特に電極を用いた皮膚を通した刺激が、神経または筋肉を刺激する「鍼」または鍼治療のつぼに関連している。
【００１０】
文献米国特許公開出願第２００４１４３２００Ａ１号明細書は、音叉として同じ材料のハンドルまたはグリップに接続されている２つの腕を用いた、マッサージまたは指圧のために使用される治療用音叉を記載する。しかし、この音叉は、その終端で捉えやすくする材料、好ましくはゴムまたは木材で被覆されていて、好ましくは患者に接触するように変化でき、金属、プラスチック、ゴム、木材または性質が類似するもの等の適当な材料でできた部分に接続されており、そして好ましくは小片の織物を用いて接触区間において覆われている。該小片は、スクリューによってハンドルに接続でき、従って容易に取り外しできる。
【発明の概要】
【発明が解決しようとする課題】
【００１１】
文献ドイツ国特許第１９７１７０５３Ａ１号明細書は、医療用途のためのピラミッドの使用に言及する。このピラミッドの側面は、１ｃｍ〜１０ｃｍで変化する特定のサイズであり、そしてこの側面は等しいかまたは異なることができ、そして３つ〜５つの点を有することができ、アルミニウムまたはアルミニウム合金でできている。効果的であるために、幾つかが、体の表面にわたって分散されているべきであり、そしてピラミッドは特定期間放置されているべきである（図２を参照のこと）。
【００１２】
２００７年１１月２８日付けのＶａｎｉｔａｔｉｓ．ｃｏｍからの題名Ｌａ  ｅｔｅｒｎａ  ｊｕｖｅｎｔｕｄ  ｅｎ  ｃｌａｖｅ  ｄｅ  Ｄｏ（Ｅｔｅｒｎａｌ  ｙｏｕｔｈ  ｉｎ  ｔｈｅ  ｋｅｙ  ｏｆ  Ｃ）の記事は、皮膚の細胞の活性を再活性化させ、顔面筋肉を引き締め、そして調整し、弾性を回復させ、そしてストレスと闘うための、顔面皮膚上での音叉の使用を開示する。しかし、そこを通して皮膚に振動が伝えられる音叉の終端にあるなんらかの部分の使用を示していない。
【課題を解決するための手段】
【００１３】
本発明の目的である機器は、皮膚上で、美容用途として使用される場合に、特定の様式で接続された場合、共に驚くべき効果を生み出すように働く２つの基本的な接続された部分、すなわち、音叉と石造ピラミッドとの組み合わせからなる。
【００１４】
音叉は、弾性金属（通常、スチール）でできた、１つの基部およびＵ字形の２つの腕を有する部分である。この音叉は軽くたたかれると、周波数によってほとんど聞こえない波長を生成して振動する（それを聞くためには、例えば、耳のそばに近づけて保持し、そして頭蓋骨に付けないか、または弦楽器の本体等の木製の反響箱に置くことによって増幅させる必要がある）。最も普通に使用される音叉は、（正確に４４０Ｈｚを有するＡ４音符を生成する手段である）４４０である。水中で、４４０Ｈｚの音叉は、約６５０Ｈｚの周波数を有する。この特徴により、音叉は、楽器を調整するための基準周波数として使用される。
【００１５】
本発明の目的である機器のために使用される音叉は、古典的な２つの腕の音叉であることができるが、しかし、３つまたは４つ以上の腕を有することができる。
【００１６】
石造ピラミッドは、基部および、平行でなくかつ共通の頂点で一点に集まっている３つの、４つの、６つの、８つのまたは１２の側面を有する、結晶の形態である。
【００１７】
ピラミッドの効果は、古代エジプトにおいて知られているが、ピラミッドの知識は動物のミイラ化を再現できた、フランス人の科学者Ａｎｔｏｉｎｅ  Ｂｏｖｉｓによって再び復活された。通常、エネルギー的振動を濃縮し、そして焦点を合わせるピラミッドの触媒としての機能の事実により、ピラミッドの下では全ての食品が都合良く保存されることが見いだされた。１９７０年代から、人間の健康へのピラミッドの効果（Ｒｅｖ．Ｃｕｂａｎａ  Ｍｅｄ．Ｇｅｎ．Ｉｎｔｅｇｒ．２００３；１９（２））についての仕事が始まった。
【００１８】
本願の目的である機器は、音叉によって皮膚に伝えられる振動が石造ピラミッドを通して作られ、音叉および石造ピラミッドが共に補完して働いて、皮膚に驚くべき効果を生じるように、特定の様式で２つの部分を接続することからなる。
【００１９】
石造ピラミッドの使用は、皮膚のたるみおよび筋力低下を防止し、皮膚のシワを伸ばし、そして同時に、細胞に酸素を送り込み、従って皮膚を若返らせ、そして輝く面を与える驚くべき効果を得るために欠かせない。
【００２０】
文献、米国特許公開出願第２００４１４３２００号明細書で使用される種々の形を有する部分のいずれかの使用は、音叉の振動を伝えるための部分としての石造ピラミッドの使用により得られたもの等の有益な結果を生じない。
【００２１】
本発明の目的である皮膚のたるみおよびシワを防ぐための機器は、金属音叉および石造ピラミッドを含む２つの基本部分を含む。
【００２２】
本発明の別の目的は、音叉の基部がピラミッドの上部または頂点と接触して配置され、そしてピラミッドの基部が治療される皮膚に適用されるような様式で、所望の効果を得るための機器のこれら２つの主要部の配置である。
【００２３】
皮膚上に生じ、そして下記で説明されるであろう効果を改善する進歩性に入るので、基本部分のある変形はまた、本発明の一部である。
【００２４】
機器の機能性は、ピラミッドを通して伝わり、そして皮膚に到達する振動を生じさせる音叉を軽くたたくことに基づく。
【００２５】
出願人は、ピラミッドを通る音叉の振動が、治療される皮膚の状態に効果を生じ、血液循環を改善し、したがって細胞への酸素供給を改善し、そしてまた、筋肉を回復させ、従って受動的体操の効果を有することを見いだした。
【００２６】
結果として、電流、または熱もしくは冷却、またはモーターによって生じた振動、または化合物を使用することがなく、従ってこれらの手順が生じる場合がある二次的効果を予防し、皮膚の美容的治療を達成することが可能である。
【００２７】
ヘルペス、ウイルスまたはバクテリア、または歯科的問題等の何らかの皮膚感染がある場合に適用されないことが好ましく、また、皮膚がんまたはあご部の癌の場合に使用されないことが好ましい。反対に、伝染性または膿みがないことを条件として、湿疹または乾癬の場合には適用できる。
【００２８】
材料およびサイズ
音叉が合金を有する鉄またはアルミニウムでできている場合、およびピラミッドがなんらかの宝石または準宝石でできている場合には、この機器はより良好に機能する。
【００２９】
好ましい態様のピラミッドは、ブラックトルマリンまたはオニキス等の黒色の石でできている。
【００３０】
機器のサイズは変化でき、いわゆる標準サイズは、家庭用であり、または例えば、ビューティーサロンまたは専門センター等で専門的に使用される場合には、より大きいことができる。いずれの場合でも、変化するのは音叉のサイズであり、一方、ピラミッドは、ほぼ同じサイズのままである。この機器は、家庭用用途のために個々に適用されるために、より小さいことができる。
【００３１】
本発明における標準の音叉のサイズは、１０ｃｍ〜２０ｃｍ長かつ１ｃｍ〜２ｃｍ幅である。
【００３２】
２０ｃｍ〜３０ｃｍ長かつ２．５ｃｍ〜４．５ｃｍ幅で変化するサイズを有するより大きい機器は、ビューティーサロンで専門的に用いることができる。この場合は、機器の効果を増幅し、そして最適化する腕の終端上に２つの円筒を有する。この円筒は、１．５ｃｍ〜２．５ｃｍの直径を有する。
【００３３】
ビラミッドは、側部が０．６ｃｍ〜１ｃｍで変化し、そして０．５ｃｍ〜０．９ｃｍの高さの正方形の基部を有し、したがってピラミッドは、音叉と比較すると小さい。
【００３４】
本発明の音叉は、中実であり、そしてピラミッドの頂点を受けるために、基部（Ｂ）の空いている終端中にドリルで開けた穴を有する。ピラミッドが、音叉の基部に挿入される場合、本発明の目的である機器の両方の部分を恒久的な様式で接続することを可能にするはんだ付け、好ましくはコールドはんだに曝される。
【図面の簡単な説明】
【００３５】
機器においてどのように部分が配置され、そしてそれぞれの部分に関するサイズを理解するために、一連の図を本明細書に添付した：
【００３６】
【図１】図１は、基部（Ｂ）およびＵ字形の２つの腕（Ｒ）を有する市場で販売されているもの等の標準の音叉（１）を示す。  図２〜８は、本発明の態様である：
【００３７】
【図２】図２は、機器を作る２つの部分、音叉（１）、および音叉（１）に比較すると小さいピラミッド（２）を示す。
【００３８】
【図３】図３は、音叉（１）基部の空いている終端にはんだ付けされる場合、形成される機器を示す。
【００３９】
本願の進歩性の一部である幾つかの変化形はまた、以下に示す等の本発明の目的である：
【００４０】
【図４】図４は、標準の機器より大きく、そして腕の終端のそれぞれの１つにおいて２つの円筒（３）を有する専門家用の機器を示す。この場合、音叉は合金を有するアルミニウムでできており、そして音叉の腕の空いている終端に対して円筒（３）の位置に段階を付ける手段を備えていることができる。
【００４１】
【図５】図５は、３つの腕を有する音叉（１）および音叉の穴を開けた基部に連結したピラミッド（３）の変化形である。
【００４２】
【図６】図６は、２つの金属鋳造した腕を有する２つの音叉（１）からなる変化形である。この変化形の製造は、生じる機器が４つの腕および２つの基部を有するように、それぞれの音叉の腕が接続されている点近辺においてはんだ付けされている、２つの腕をそれぞれ有する２つの音叉により達成される。基部の１つは、一方の空いている終端においてピラミッド（２）の頂点にはんだ付けされており、そしてもう一方の基部は、その空いている終端において球（４）を有する。
【００４３】
図６中でこの球（４）は、小さく、そして金、銀またはスチールであることができる金属でできており、そして冬には他のタイプの金属より暖かいことができる金でできた球を適用することが適当である。さらに、この球は、皮膚のピーリングを促進するために、面を刻まれていることができる。
【００４４】
さらに、全てこれらの変化形の別の方法として、２つの部分は、図７に示すように中間部を通じて接続できる。
【００４５】
【図７】図７は、その円筒形の終端によって音叉に連結するための一方の終端における円筒形の形態、およびもう一方の終端におけるピラミッド形の胴体部を有し、ピラミッド形の胴体部終端にピラミッドを有する、中空の中間部（５）を示す。
【００４６】
【図８】図８は、音叉（１）、中間部（５）および次のはんだ付けにより配置されたピラミッド（２）を有する機器の代替物を示す。
【発明を実施するための形態】
【００４７】
皮膚のたるみとシワを予防するための機器の適用方法
皮膚のたるみを予防し、そしてシワを伸ばし、皮膚を若返らせ、皮膚に輝く効果を提供するために設計された治療のために、機器は、眉毛の間の範囲から始まり、そして唇の回りの範囲に続く種々の区間に適用できる。
【００４８】
音叉を振動させた後は、ピラミッドの基部は、眉毛の間におかれ、そして音が消えるまで一つの眼の輪郭の周りの皮膚上を動く。ピラミッドの基部は、２回または３回通過し、そしてあごの下部の端に到達するまで、それぞれの回ことに、その巡回動作をますます拡げる。その後に、ピラミッドの基部は、眉毛の間から反対側の眼の回りの範囲まで移動する。
【００４９】
これらの動作の後で、機器は、上唇の中央に置かれて、唇の右端に移動し、そしてその後、中央から唇の左端に移動する。最終的に、左から右に額を通過する。
【００５０】
さらに、鍼治療のつぼに適用でき、この場合、この方法は、それぞれ約１秒間、１０のつぼに機器を適用することからなる。
【００５１】
熟年の肌用に、音叉の基部は、金めっきされ、そしてマッシュルームのような形にされることが適当であり、従って皮膚を明るくする効果を高める。
【実施例】
【００５２】
二つの音叉、１つはビューティーサロンでの専門家の使用のための本発明のより大きいバージョンによるもの、およびピラミッドがコールドはんだによって接続された類似の球によって置換されていることを除き、同じ材料および同じサイズの音叉部でできたもう一つのものを使用した。
【００５３】
４人の患者のグループで週２回、４週間、両方の音叉を使用した。患者の内２人は、球を有する音叉の適用を受け、そして次に本発明の適用を最初に受けた、そして残りの２人の患者は、逆に、本発明の適用を最初に受け、そして次に音叉および球の適用を受け、全ての場合において、異なる治療間で、それぞれのものを４週間行った。
【００５４】
治療の終わりに、全ての女性の患者およびこの治療を適用したビューティースペシャリスト全員が、本発明の音叉を用いた結果が、目に見えてより優れていると、同意した。
【図１】
2011522576.tif 000003
【図２】
2011522576.tif 000004
【図３】
2011522576.tif 000005
【図４】
2011522576.tif 000006
【図５】
2011522576.tif 000007
【図６】
2011522576.tif 000008
【図７】
2011522576.tif 000009
【図８】
2011522576.tif 000010
【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
皮膚のたるみおよびシワを予防するための機器であって、
基部および腕を含む第１の音叉と、
ピラミッド形の石の頂点が、該第１の音叉の基部の空いている終端に挿入されるように、該第１の音叉に接続されているピラミッド形の石と、
を含んで成る、機器。
【請求項２】
該第１の音叉が、該腕のそれぞれの終端に円筒を含む、請求項１に記載の皮膚のたるみおよびシワを予防するための機器。
【請求項３】
該第１の音叉が、３つの腕を含む、請求項１に記載の皮膚のたるみおよびシワを予防するための機器。
【請求項４】
該第１の音叉が、４つの腕を含む、請求項１に記載の皮膚のたるみおよびシワを予防するための機器。
【請求項５】
該基部と該腕との連結点で該第１の音叉にはんだ付けされた第２の音叉であって、該音叉のそれぞれが２つの腕を含む音叉をさらに含む、請求項１に記載の皮膚のたるみおよびシワを予防するための機器。
【請求項６】
該機器が、４つの腕および２つの基部を含むように該第２の音叉が基部を含み、そして該基部の内一方に該ピラミッド形の石が挿入され、そしてもう一方の基部に金属の球が挿入されている、請求項５に記載の皮膚のたるみおよびシワを予防するための機器。
【請求項７】
該第１の音叉と該ピラミッド形の石との間の中空の中間部分であって、該中空の中間部分が円筒形の終端とピラミッド形胴体の終端とを含み、該第１の音叉の基部が該円筒形の終端に挿入されており、そしてピラミッド形の石の頂点が該ピラミッド形胴体の終端に連結されている、中間部分をさらに含む、請求項１に記載の皮膚のたるみおよびシワを予防するための機器。
【請求項８】
該基部、該中間部分、および該ピラミッド形の石が恒久的に接続されるように、該第１の音叉の該基部が該円筒形の終端にはんだ付けされており、そして該ピラミッド形の石の該頂点が該ピラミッド形胴体の終端にはんだ付けされている、請求項７に記載の皮膚のたるみおよびシワを予防するための機器。
【請求項９】
該ピラミッド形の石が、宝石または準宝石を含む、請求項１に記載の皮膚のたるみおよびシワを予防するための機器。
【請求項１０】
該ピラミッド形の石が、ブラックトルマリンまたは、オニキスを含む、請求項１に記載の皮膚のたるみおよびシワを予防するための機器。
【請求項１１】
該ピラミッド形の石が、はんだを通じて該第１の音叉に恒久的に接続されている、請求項１に記載の皮膚のたるみおよびシワを予防するための機器。
【請求項１２】
該はんだが、コールドはんだである、請求項１１に記載の皮膚のたるみおよびシワを予防するための機器。
【請求項１３】
基部および腕を含む音叉、並びにピラミッド形の石の頂点が該音叉の該基部の空いている終端に挿入されるように、該音叉に接続されたピラミッド形の石を含んで成る、皮膚のたるみおよびシワを予防するための方法であって、
該音叉を振動させる工程と、
該ピラミッド形の石が、該音叉からの振動を皮膚に伝えるように、該皮膚のたるみまたはシワを治療される皮膚上に該ピラミッド形の石の基部を置く工程と、
を含む方法。
【国際調査報告】
2011522576.tif 000011
2011522576.tif 000012
2011522576.tif 000013
2011522576.tif 000014
2011522576.tif 000015
2011522576.tif 000016